(57)【特許請求の範囲】
【請求項１】
メッセージを作成し送信する送信元会員端末と、該メッセージを受信する送信先会員端末と、通信回線網を介して接続され、メッセージを管理する管理装置において、
会員識別情報、及び、メッセージを確認するための会員専用ホームページの識別情報を関連付けて格納する会員管理テーブルと、
前記送信元会員端末に表示されたブラウザから入力され、該送信元会員端末より送信された、前記メッセージの送信先となる会員の会員識別情報、及び、前記メッセージを受信する受付手段と、
前記会員管理テーブルを参照し、前記受付手段で受信した、前記メッセージ送信先となる会員の会員識別情報に対応付けて格納された、前記メッセージを確認するための会員専用ホームページの識別情報を検索する検索手段と、
前記検索手段で検索した、前記メッセージを確認するための会員専用ホームページに前記メッセージを受信したことを示す通知情報を設定する設定手段と、
を有することを特徴とする管理装置。
【請求項２】
請求項１記載の管理装置において、
さらにメッセージを任意の登録識別情報に対応するメッセージ登録ホームページに登録する登録手段を備え、
前記受付手段は、さらに、前記送信元会員端末に表示されたブラウザから入力され、該送信元会員端末より送信された送信者識別情報を受信し、
前記設定手段は、前記作成手段で作成したメッセージ登録ホームページの識別情報を判別し、前記検索手段で検索した、前記メッセージを確認するための会員専用ホームページに、前記メッセージを受信したことを示す通知情報として、該メッセージ登録ホームページ識別情報と、前記メッセージ送信者名を設定する
ことを特徴とする管理装置。
【請求項３】
メッセージを作成し送信する送信元会員端末と、該メッセージを受信する送信先会員端末と、通信回線網を介して接続され、会員識別情報、メッセージを確認する会員専用ホームページの識別情報が関連付けられた会員管理テーブルを用いて、メッセージを管理する管理方法において、
コンピュータが、
前記送信元会員端末に表示されたブラウザから入力され、該送信元会員端末より送信された、前記メッセージの送信先となる会員の会員識別情報、及び、前記メッセージを受信する受付ステップと、
前記会員管理テーブルを参照し、前記受付ステップで受信した、前記メッセージの送信先となる会員の会員識別情報に対応付けて格納された、前記メッセージを確認するための会員専用ホームページの識別情報を検索する検索ステップと、
前記検索ステップで検索した、前記メッセージを確認するための会員専用ホームページに前記メッセージを受信したことを示す通知情報を設定する設定ステップと、
を実行することを特徴とする管理方法。
【請求項４】
請求項３記載の管理方法において、
前記コンピュータが、
さらにメッセージを任意の登録識別情報に対応するメッセージ登録ホームページへ登録する登録ステップを備え、
前記受付ステップにおいて前記コンピュータがさらに、前記送信元会員端末に表示されたブラウザから入力され、該送信元会員端末より送信された送信者識別情報を受信し、
前記設定ステップにおいて、前記コンピュータが前記検索手段で検索した、前記メッセージを確認するための会員専用ホームページに、前記作成ステップで作成したメッセージ登録ホームページのメッセージ登録ホームページ識別情報と、前記メッセージ送信者名を設定する
ことを特徴とする管理方法。
【発明の詳細な説明】
【０００１】
【発明の属する技術分野】
本発明は、メッセージ管理方法及びシステム及びメッセージ管理プログラムを格納した記憶媒体に係り、特に、インターネット上において、会員登録している会員間における電子メールやメッセージの送受信を行うためのメッセージ管理方法及びシステム及びメッセージ管理プログラムを格納した記憶媒体に関する。
【０００２】
【従来の技術】
従来、インターネットを介してメッセージを相手に送信する場合には、電子メールを利用している。この場合、送信先の送信先ＩＤ、送信先名、送信先アドレス等を入力し、さらに、送信するメッセージを電子メールに設定し、当該電子メールを送信する。これにより、送信された利用者は、当該電子メールを取得して、当該電子メールに含まれるメッセージ本文をメッセージとして認識する。
【０００３】
【発明が解決しようとする課題】
しかしながら、上記従来の方法においてインターネットを介して相手にメッセージを送信する場合には電子メールを用いた方法しかなく、例えば、ホームページを開いている場合に、メッセージを送信しようとした場合には、電子メールの設定画面を開いて、電子メール送信のための情報を入力する必要がある。つまり、ホームページ等の他の画面を開いている場合に、一旦電子メール送信設定画面に戻す必要がある。
【０００４】
また、外出先等において、インターネットを使用してメッセージを送信しようとした場合に、電子メールの環境設定するための処理が必要となる。この場合に送信先のアドレス等を探してから入力する必要があり、メッセージを送ろうとした場合にこのようなメモを所持していない場合には当該メッセージを送信することができないという問題がある。
【０００５】
本発明は、上記の点に鑑みなされたもので、メッセージを相手に送信しようとした時に、容易な入力のみで電子メールの送信先アドレス情報等を持っていなくともメッセージを送信することが可能なメッセージ管理方法及びシステム及びメッセージ管理プログラムを格納した記憶媒体を提供することを目的とする。
【０００６】
【課題を解決するための手段】
第１の発明は、メッセージを作成し送信する送信元会員端末と、該メッセージを受信する送信先会員端末と、通信回線網を介して接続され、メッセージを管理する管理装置において、
会員識別情報、及び、メッセージを確認するための会員専用ホームページの識別情報を関連付けて格納する会員管理テーブルと、
送信元会員端末に表示されたブラウザから入力され、該送信元会員端末より送信された、メッセージの送信先となる会員の会員識別情報、及び、メッセージを受信する受付手段と、
会員管理テーブルを参照し、受付手段で受信した、メッセージ送信先となる会員の会員識別情報に対応付けて格納された、メッセージを確認するための会員専用ホームページの識別情報を検索する検索手段と、
検索手段で検索した、メッセージを確認するための会員専用ホームページにメッセージを受信したことを示す通知情報を設定する設定手段と、を有する。
【０００７】
第２の発明は、第１の発明の管理装置において、
さらにメッセージを任意の登録識別情報に対応するメッセージ登録ホームページに登録する登録手段を備え、
受付手段は、さらに、送信元会員端末に表示されたブラウザから入力され、該送信元会員端末より送信された送信者識別情報を受信し、
設定手段は、作成手段で作成したメッセージ登録ホームページの識別情報を判別し、検索手段で検索した、メッセージを確認するための会員専用ホームページに、メッセージを受信したことを示す通知情報として、該メッセージ登録ホームページ識別情報と、メッセージ送信者名を設定する。
【０００８】
第３の発明は、メッセージを作成し送信する送信元会員端末と、該メッセージを受信する送信先会員端末と、通信回線網を介して接続され、会員識別情報、メッセージを確認する会員専用ホームページの識別情報が関連付けられた会員管理テーブルを用いて、メッセージを管理する管理方法において、
コンピュータが、
送信元会員端末に表示されたブラウザから入力され、該送信元会員端末より送信された、メッセージの送信先となる会員の会員識別情報、及び、メッセージを受信する受付ステップと、
会員管理テーブルを参照し、受付ステップで受信した、メッセージの送信先となる会員の会員識別情報に対応付けて格納された、メッセージを確認するための会員専用ホームページの識別情報を検索する検索ステップと、
検索ステップで検索した、メッセージを確認するための会員専用ホームページにメッセージを受信したことを示す通知情報を設定する設定ステップと、を実行する。
【０００９】
第４の発明は、第３の発明において、
コンピュータが、
さらにメッセージを任意の登録識別情報に対応するメッセージ登録ホームページへ登録する登録ステップを備え、
受付ステップにおいてコンピュータがさらに、送信元会員端末に表示されたブラウザから入力され、該送信元会員端末より送信された送信者識別情報を受信し、
設定ステップにおいて、コンピュータが検索手段で検索した、メッセージを確認するための会員専用ホームページに、作成ステップで作成したメッセージ登録ホームページのメッセージ登録ホームページ識別情報と、メッセージ送信者名を設定する。
【００１１】
本発明によれば、メッセージを登録するためのメッセージ登録サーバに対して、メッセージ送信元のユーザ（会員）が電子メール送信設定画面を用いずに、ブラウザからメッセージ本文及びメッセージ送信先ＩＤ、送信元ＩＤ（自ＩＤ）を送信することにより、メッセージ登録サーバでは、送信先ＩＤに基づいて予め登録・管理されている会員の情報を検索して送信先のＵＲＬを取得し、送信先の会員専用のホームページにメッセージ本文が格納されている登録ホームページのＵＲＬを設定する。送信先のユーザは、自分のホームページにアクセスし、当該メッセージ本文が格納されているＵＲＬを取得し、当該ＵＲＬにアクセスすることにより、送信元から発信されたメッセージを取得することができる。このように、送信側では、電子メール送信設定時におけるアドレス設定等の処理が不要となり、単にブラウザからメッセージ本文と、送信先ＩＤ、パスワードのみを入力すればよい。
【００１２】
本発明によれば、メッセージ登録サーバ側で、予め会員ＩＤ、パスワード及び会員毎のホームページＵＲＬを登録しておくことにより、送信元から取得した送信先ＩＤに対応するホームページＵＲＬを検索することが可能となる。
また、本発明によれば、送信先の利用者がメッセージ登録サーバにアクセスし、最初にメッセージ登録ホームページのＵＲＬを取得し、これに基づいてメッセージ登録ホームページにアクセスすることによりメッセージ本文を取得することが可能となる。
【００１３】
【発明の実施の形態】
図１は、本発明のメッセージ送信システムの構成を示す。
同図に示すシステムは、ｎ台の会員端末１００とメッセージ登録サーバ２００がインターネット３００を介して接続されている。
図２は、メッセージ登録サーバ２００の構成を示す。
【００１４】
メッセージ登録サーバ２００は、入力メッセージ受信部２１０、検索部２２０、会員テーブル２３０、ホームページ設定部２４０、会員専用ホームページ領域２５０及びメッセージ登録ホームページ領域２６０から構成される。
入力メッセージ受信部２１０は、送信元会員端末１００Ａから入力されたメッセージ、送信先会員ＩＤ、送信者名等の送信元情報を受信し、検索部２２０に転送する。
【００１５】
検索部２２０は、入力メッセージ受信部２１０で取得された送信先会員ＩＤ  に基づいて会員テーブル２３０を検索して、会員専用ホームページＵＲＬ名を取得し、ホームページ設定部２４０に転送する。
会員テーブル２３０は、会員ＩＤ、パスワード、会員専用ホームページＵＲＬ名から構成され、検索部２２０より参照される。
【００１６】
ホームページ設定部２４０は、メッセージ本文をメッセージ登録ホームページ領域２６０に設定し、当該設定した領域のＵＲＬを取得し、当該メッセージ登録ホームページ領域２６０のＵＲＬと、検索部２２０から渡された会員専用ホームページＵＲＬ及びメッセージ送信者名を送信先の会員専用ホームページ領域２５０に設定する。
【００１７】
送信元の会員端末１００Ａは、上記のメッセージ登録サーバ２００に対してメッセージ送信先ＩＤ、メッセージ本文、及びメッセージ送信者名を電子メール送信設定画面を用いずに、ブラウザから直接入力することにより、メッセージ登録サーバ２００は、当該入力を受け付け、メッセージ送信先ＩＤに対応する会員のホームページにメッセージが到着していることを示すことによって、送信先の会員端末１００Ｂからメッセージ登録サーバにアクセスすることにより、自分宛のメッセージを取得することができる。
【００１８】
【実施例】
次に、本発明の実施例を図面と共に説明する。
図３は、本発明の一実施例の動作を示すシーケンスチャートである。
ステップ１０１）  会員ＡＡＡ（山田）がブラウザから送信先ＢＢＢに対するメッセージ及び送信先会員ＩＤ及び送信者名をブラウザから入力し、メッセージ登録サーバ２００にアクセスする。
【００１９】
ステップ１０２）  メッセージ登録サーバ２００は、ＡＡＡ会員端末１００Ａからの入力情報を取得すると、送信先（ＢＢＢ）に関するホームページの作成を行う。このとき、ホームページ設定部２４０は、受信した会員ＡＡＡからのメッセージ本文をメッセージ登録ホームページ領域２６０に設定する。
ステップ１０３）  メッセージ登録サーバ２００の検索部２２０は、送信先（ＢＢＢ）専用のホームページのＵＲＬを取得する。
【００２０】
ステップ１０４）  ホームページ設定部２４０は、ステップ１０２において登録したメッセージのホームページのＵＲＬ名を取得し、ＢＢＢ会員専用ホームページＵＲＬに対応するホームページ領域２５０に送信者名と共に設定する。
ステップ１０５）  会員ＢＢＢは、自分専用のホームページにメッセージが登録されているホームページＵＲＬが表示される。これにより、会員ＢＢＢは、メッセージが到着していることを認識できる。
【００２１】
ステップ１０６）  メッセージ受信者である会員ＢＢＢは、自分専用のホームページにアクセスし、メッセージ本文が格納されているメッセージ格納ホームページのＵＲＬを取得し、当該ＵＲＬにアクセスする。
ステップ１０７）  アクセスしたメッセージ格納ホームページからメッセージを取得する。
【００２２】
図４は、本発明の一実施例のシステム全体の動作を説明するための図であり、○内の数字と以下に示す○内の数字は対応するものとする。図５は、本発明の一実施例における画面表示例を示す。
▲１▼  会員ＡＡＡは、図４に示すブラウザの画面フォーマットから、図５（Ａ）に示すように、メッセージ送信先ＩＤ（ＢＢＢ）とメッセージ本文及びメッセージ送信者名（山田）を入力し、メッセージ登録サーバ２００に送信する。送信した時点で図５（Ｂ）に示すようなメッセージが表示される。
【００２３】
▲２▼  メッセージ登録サーバ２００は、会員ＡＡＡからメッセージ本文、送信先ＩＤメッセージ送信者名を受信すると、メッセージ本文をメッセージ登録ホームページに登録する。
▲３▼  メッセージ登録サーバ２００の検索部２２０は、会員テーブル２３０を参照して、送信先ＩＤ（ＢＢＢ）に対応する会員専用ホームページＵＲＬ名
“ｈｔｔｐ：：／ｗｗｗ／ｓｅｎｙｏｕ／ｂｂｂ”
を取得し、図５（Ｃ）に示すように、ＢＢＢ会員専用ホームページ２５０に当該会員専用ホームページＵＲＬ名、メッセージ送信者名、メッセージ格納ＵＲＬを設定する。
【００２４】
▲４▼  会員ＢＢＢが、メッセージ登録サーバ２００の自分専用の会員専用ホームページ２５０にアクセスすると、図５（Ｃ）に示すような内容を確認する。
▲５▼  図５（Ｃ）に示すメッセージ格納ＵＲＬに従って、メッセージ登録ホームページにアクセスすることにより、図５（Ｄ）に示すようなメッセージ本文を取得する。
【００２５】
会員端末１００では、新たな機能を必要とせず、ブラウザから送信先ＩＤ、メッセージ本文、及び送信者名を入力するのみで、電子メールを使用しなくともメッセージを送信することが可能であり、受信者側でも単に自分専用のホームページにアクセスするのみでメッセージを取得することが可能である。
また、上記の実施例では、図２に示すようなメッセージ登録サーバの構成に基づいて説明したが、これらの構成要素をプログラムとして構築し、当該メッセージ登録サーバに接続されるディスク装置や、フロッピーディスクやＣＤ−ＲＯＭ等の可搬記憶媒体に格納しておき、本発明を実施する際に適宜インストールして使用することが可能である。
【００２６】
なお、本発明は、上記の実施例に限定されることなく、特許請求の範囲内で種々変更・応用が可能である。
【００２７】
【発明の効果】
本発明によれば、メッセージ送信元のユーザ（会員）が外出先等でメッセージ送信先の電子メールアドレス情報を持っていないような場合でも、送信先ＩＤのみを認識していれば、ブラウザから入力すればよく、容易にメッセージを送信することが可能であるため、新たな機能を必要とせずに、緊急な要件を外出先からでも送信することができる。また、受信側でも既存のホームページの参照方法でよく、同様に新たな機能を必要としない。
【００２８】
本発明によれば、メッセージ登録サーバ側で、予め会員ＩＤ、パスワード及び会員毎のホームページＵＲＬを登録しておくだけで送信元から取得した送信先ＩＤに対応するホームページＵＲＬを検索し、設定することができる。
本発明によれば、送信先の利用者がメッセージ登録サーバにアクセスし、最初にメッセージ登録ホームページのＵＲＬを取得し、これに基づいてメッセージ登録ホームページにアクセスすることによりメッセージ本文を容易に取得できる。
【図面の簡単な説明】
【図１】本発明のメッセージ送受信システムの構成図である。
【図２】本発明のメッセージ登録サーバの構成図である。
【図３】本発明の一実施例の動作を示すシーケンスチャートである。
【図４】本発明の一実施例のシステム全体の動作を説明するための図である。
【図５】本発明の一実施例における画面表示例である。
【符号の説明】
１００  会員端末
２００  メッセージ登録サーバ
２１０  入力メッセージ受信部
２２０  検索部
２３０  会員テーブル
２４０  ホームページ設定部
２５０  会員専用ホームページ領域
２６０  メッセージ登録ホームページ領域
３００  インターネット
【図１】
0004121171.tif 000002
【図２】
0004121171.tif 000003
【図３】
0004121171.tif 000004
【図４】
0004121171.tif 000005
【図５】
0004121171.tif 000006